(57)【要約】【課題】瓦等の外装材を用いた外装構造に関し、雨水を長期間滞留させることなく排除して腐敗を防止することができる外装構造を提供する。【解決手段】本発明は、重合状に配設される外装材２と、同外装材２を支持して下地３上に軒先と平行に固定される桟２とからなる外装構造において、前記外装材２は、水下側の裏面に水下側が開放する係合溝２１を備え、前記桟１は、下地３上に固定される底部１１と、該底部１１の水上側から立ち上がる起立部１２と、該起立部１２の上端から水上側へ向かう横片部１３と、前記底部１１の水下側から立ち上がる支持部１４とからなり、前記起立部１２及び支持部１４には、それぞれ導水孔１２１，１４１が形成され、下地３上に前記桟１を固定し、水下側に隣接する外装材２の水上側表面に、水下側裏面を重合させつつ、前記桟１の横片部１３に外装材２の係合溝２１を係合させると共に水上側に隣接する前記桟１の支持部１４に外装材２の水上側の裏面を支持させてなることを特徴とする。【選択図】図３
2010047954.tif 000002
【特許請求の範囲】
【請求項１】
重合状に配設される外装材と、同外装材を支持して下地上に軒先と平行に固定される桟とからなる外装構造において、
前記外装材は、水下側の裏面に水下側が開放する係合溝を備え、
前記桟は、下地上に固定される底部と、該底部の水上側から立ち上がる起立部と、該起立部の上端から水上側へ向かう横片部と、前記底部の水下側から立ち上がる支持部とからなり、前記起立部及び支持部には、それぞれ導水孔が形成され、
下地上に前記桟を固定し、水下側に隣接する外装材の水上側表面に、水下側裏面を重合させつつ、前記桟の横片部に外装材の係合溝を係合させると共に水上側に隣接する前記桟の支持部に外装材の水上側の裏面を支持させてなることを特徴とする外装構造。
【請求項２】
外装材は、水上側の表面に係合凹部を有し、水下側の裏面に係合凸部を有し、水下側に隣接する外装材の係合凹部に係合凸部が係合するように外装材を配設することを特徴とする請求項１に記載の外装構造。
【請求項３】
外装材の水上側の裏面に複数条の細溝を設け、該細溝に桟の支持部が係止することを特徴とする請求項１又は２に記載の外装構造。
【発明の詳細な説明】
【技術分野】
【０００１】
本発明は、瓦等の外装材を用いた外装構造に関し、雨水を長期間滞留させることなく排除して腐敗を防止することができる外装構造に関するものである。
【背景技術】
【０００２】
従来、瓦等の外装材を葺いて屋根を施工する場合には、断面矩形状の角材からなる複数の桟を軒先と平行になるように固定し、この固定した桟に対し、外装材の水上側の裏面に設けた係止部を係止させ、この状態で釘等にて打ち付け、下地に固定する方法が広く採られている。
このような屋根では、桟の水上側に雨水が溜まり、屋根の雨漏りが発生したり、桟や下地材が腐敗して外装材が落下するという問題点があった。
【０００３】
そのため、例えば特許文献１，２には、桟の裏面側に排水溝を形成することにより、雨水の滞留を防ごうとする提案がなされている。
【特許文献１】特開２００２−３２２７７０公報
【特許文献２】登録実用新案第３０２３５０２号公報
【発明の開示】
【発明が解決しようとする課題】
【０００４】
しかしながら、前記提案は、外装材の固定に関しては、釘等の固定具による打ち付けに依存しているため、経年の後に雨水等により、固定具に腐食が生じた場合には、外装材が落下するという問題があった。
そこで、本発明は、前述の雨水の溜まりを生ずることが無く、しかも釘等の打ち付けを基本的に必要とすることがない外装構造を提案することを目的とする。
【課題を解決するための手段】
【０００５】
本発明は上記課題に鑑み提案されたものであり、重合状に配設される外装材と、同外装材を支持して下地上に軒先と平行に固定される桟とからなる外装構造において、前記外装材は、水下側の裏面に水下側が開放する係合溝を備え、前記桟は、下地上に固定される底部と、該底部の水上側から立ち上がる起立部と、該起立部の上端から水上側へ向かう横片部と、前記底部の水下側から立ち上がる支持部とからなり、前記起立部及び支持部には、それぞれ導水孔が形成され、下地上に前記桟を固定し、水下側に隣接する外装材の水上側表面に、水下側裏面を重合させつつ、前記桟の横片部に外装材の係合溝を係合させると共に水上側に隣接する前記桟の支持部に外装材の水上側の裏面を支持させてなることを特徴とする外装構造に関するものである。
【０００６】
また、本発明は、前記外装構造において、外装材は、水上側の表面に係合凹部を有し、水下側の裏面に係合凸部を有し、水下側に隣接する外装材の係合凹部に係合凸部が係合するように外装材を配設することを特徴とする外装構造をも提案する。
【０００７】
さらに、本発明は、前記外装構造において、外装材の水上側の裏面に複数条の細溝を設け、該細溝に桟の支持部が係止することを特徴とする外装構造をも提案する。
【発明の効果】
【０００８】
本発明の外装構造は、桟に導水孔を設けているために、雨水の溜まりを生ずることが無く、しかも外装材を桟の横片部に係合すると共に、水上側の端部に水上側に隣接する外装材が重合しているので、基本的に釘等の打ち付けを必要とすることが無く、継続的に雨漏り等を生じない外装面を維持することができる。
【０００９】
また、水下側に隣接する外装材の係合凹部に係合凸部が係合するように外装材を配設する場合には、安定な重合状態を維持することができる。
【００１０】
さらに、外装材の水上側の裏面に複数条の細溝を設け、該細溝に桟の支持部を係止する場合には、外装材の水流れ方向への動きが規制される。
【発明を実施するための最良の形態】
【００１１】
本発明における外装材は、水下側の端部を、水下側に隣接する外装材の水上側の端部に重合させて配設される（「水上側の端部に、水上側に隣接する外装材の水下側の端部が重合して配設される」と言い換えることもできる）ものであり、水下側の裏面に水下側が開放する係合溝を備える構成である。
この外装材は、後述する実施例では、平瓦であるが、その他、各種の和瓦、洋瓦、小割りのソーラパネルなどでもよく、特に限定するものではない。
【００１２】
また、この外装材には、水上側の表面に係合凹部を、水下側の裏面に係合凸部を設けるようにしてもよい。この場合、水下側に隣接する外装材の係合凹部に係合凸部が係合するように外装材を配設することができ、安定な重合状態を維持することができる。
【００１３】
さらに、この外装材の水上側の裏面に複数条の細溝を設けるようにしてもよい。この場合、前記細溝に桟の支持部が係止することができ、外装材の水流れ方向への動きが規制される。
【００１４】
また、本発明における桟は、下地上に固定される底部と、該底部の水上側から立ち上がる起立部と、該起立部の上端から水上側へ向かう横片部と、前記底部の水下側から立ち上がる支持部とからなる。そして、前記起立部及び支持部には、それぞれ導水孔が形成される構成である。この導水孔は、円形、長円形などどのような形状でもよい。
この桟は、プレス成形あるいは押出成形されたステンレス、鉄、アルミニウム、合成樹脂などの各種素材からなる長尺状のものであるが、特に限定するものではない。
【００１５】
前記桟を固定する下地は、Ｃ形鋼などによる鉄骨構造の上に木毛セメント板や木片セメント板などを敷設して、この板上にアスファルトルーフィングなどを張設したような母屋、梁、ボード状の野地板、その他の軽量気泡コンクリートパネル、コンクリート製の駆体など、特に限定するものではない。
なお、これらの何れかの下地上に水流れ方向に連続する垂木等の支持材を配設して下地としてもよい。また、その場合、支持材の内部に樋材等の流水部材を配して前記導水孔から排出した雨水を水下側へ流すようにしてもよい。
【実施例】
【００１６】
図１〜図３に示す本発明の実施例は、外装材として平瓦タイプの瓦を用いた屋根構造であって、１は桟、２は瓦、３は下地である。
【００１７】
前記桟１は、図１に示すようにステンレス鋼板又は亜鉛鉄板より成形した長尺状のものであり、下地３に沿う底部１１と、該底部１１の水上側から立ち上がる起立部１２と、該起立部１２の上端から水上側へ向かう横片部１３と、前記底部１１の水下側から立ち上がる支持部１４とからなる。そして、前記起立部１２及び支持部１４には、それぞれ導水孔１２１，１４１が形成される構成である。
図示実施例の桟１は、図２に示すように一枚の金属板材を折り曲げ加工して成形したものであって、底部１１の水上側の端縁から表面側に折り返した二重板状の先端部１１１とし、その水下側を表面側へ鉛直状に起立させて起立部１２とした。また、この起立部１２の上端を水上側へ略水平状に折曲し、更にその先端を裏面側へ折り返して二重板状の水上側へ向かう横片部１３とした。さらに、底部１１の水下側には、表面側へ逆Ｖ字状に起立させて支持部１４とした。なお、図２（ｂ）の展開図に示すように、起立部の立ち上げ基端（１２）及び支持部の下端（１４）を点線で示した。また、折り曲げ加工に先立って、起立部１２における導水孔１２１となる円孔（１２１）、支持部１４における導水孔１４１となる長孔（１４１）、及び下地３に固定するための固定具１０を挿通させる固定孔１１２を設けている。
【００１８】
前記瓦２は平瓦タイプのものであり、図３に示すように水下側の裏面に水下側が開放する係合溝２１を備える。
図示実施例の瓦２は、水下側の裏面に略Ｌ字状の突起を設けることにより前記係合溝２１をを形成したものである。また、水上側の表面に係合凹部２２を有し、水下側の裏面には２条の突起からなる係合凸部２３を有し、水下側に隣接する瓦２の係合凹部２２に係合凸部２３が重合状に係合する構成である。また、瓦２の水下側の裏面には複数条の細溝２４を有し、配設状態において前記細溝２４には前記桟１の支持部１４が係止する構成である。
【００１９】
前記下地３は、図示しないが、Ｃ形鋼などの母屋の上に敷設された木片セメント板であり、その表面にはアスファルトルーフィング等の防水シートを敷設している。この下地３には亜鉛メッキ鋼板その他の公知の耐水性材料からなる防水板を敷設してもよい。
【００２０】
そして、外装構造を施工するには、まず下地３上に軒先と平行に所定の間隔にて前記構成の桟１を固定する。なお、固定に際しては、前述のように固定具１０を底部１１に設けた固定孔１１２に挿通させて固定する。また、所定の間隔とは、前記瓦２の水流れ方向の有効幅と同様とする。
次に、前記構成の瓦２を取り付けるが、水下側から水上側へ向かって隣接する２つの桟１，１に跨るように取り付ける。すなわち、水下側の桟１の横片部１３に係合溝２１を係合させると共に水上側の桟１の支持部１４に水上側の裏面に設けた細溝２４を係合するように支持させる。その水上側に次の瓦２を取り付けるが、この瓦２は、既に取り付けた瓦２の水上側表面に、水下側裏面を重合させつつ、前述のように水下側の桟１の横片部１３に係合溝２１を係合させると共に水上側の桟１の支持部１４に水上側の裏面に設けた細溝２４を係合するように支持させる。
【００２１】
こうして施工された本発明の外装構造は、桟１に導水孔１２１，１４１を設けているために、雨水の溜まりを生ずることが無く、しかも瓦２を桟１の横片部１３に係合すると共に、水上側の端部に水上側に隣接する瓦２が重合しているので、基本的に釘等の打ち付けを必要とすることが無い。したがって、継続的に雨漏り等を生じない外装面を維持することができる。
【００２２】
また、図示実施例では、瓦２，２同士の重合状態において、水下側の瓦２の係合凹部２２に水上側の瓦２の係合凸部２３が係合するようにしたので、より安定な重合状態を維持することができる。特に２条の突起からなる係合凸部２３を係合凹部２２と係合させているので、この係合部分から侵入しようとする雨や塵埃を遮ることができる。
【００２３】
さらに、桟１の支持部１４に瓦２の水上側の裏面に設けた細溝２４を係合するように支持させたので、瓦２の水流れ方向への動きが規制される。
【００２４】
図４（ｂ）に示す桟１Ａ及び図４（ｃ）に示す桟１Ｂは、前記構成の桟１の他の実施例であり、部位の符号は、前記桟１のものと共通する。
桟１Ａに示すように、前記先端部１１１は必ずしも必要ではなく、また桟１Ｂに示すようにアルミ押出型材にて成形されたものでもよい。
【図面の簡単な説明】
【００２５】
【図１】（ａ）本発明の外装構造に用いる桟の一実施例を示す斜視図、（ｂ）Ｂ−Ｂ線における断面図、（ｃ）Ｃ−Ｃ線における断面図である。
【図２】（ａ）前記桟の平面図、（ｂ）その側面図、（ｃ）その展開図である。
【図３】外装構造の要部を示す拡大断面図である。
【図４】（ａ）本発明に用いる桟の一実施例を示す断面図、（ｂ）他の一実施例を示す断面図、（ｃ）他の一実施例を示す断面図である。
【符号の説明】
【００２６】
１，１Ａ，１Ｂ  桟
１１  底部
１２  起立部
１２１  導水孔
１３  横片部
１４  支持部
１４１  導水孔
１０  固定具
２  瓦（外装材）
２１  係合溝
３  下地
【図１】
2010047954.tif 000003
【図２】
2010047954.tif 000004
【図３】
2010047954.tif 000005
【図４】
2010047954.tif 000006